(57)【特許請求の範囲】
【請求項１】
錠箱に軸支されたカマ、このカマに連動すると共に、操作部材の操作力或いは駆動モータの駆動力によって作動する動力伝達機構、閉戸時に先端面が戸枠体側に当たると、トリガー用付勢バネのバネ力に抗して後退動するトリガー部材を備え、このトリガー部材の後退動に起因してカマが受け金具に係合する方向へと回転する引戸用錠前に於いて、前記トリガー部材３０は、錠箱内に位置しているトリガー本体３１と、このトリガー本体３１の先端部にスライド自在に嵌合するクラッチ片３２と、このクラッチ片に内装され、その先端部が該クラッチ片の内面に支持されると共に、後端部が前記トリガー本体３１に支持されるクラッチバネ４９とから成り、引戸の閉戸時、カマの正常な突出を邪魔する事態が発生して前記クラッチ片３２に所要の圧力が加わった場合には、該クラッチ片３２が後退動してその後端部が前記トリガー本体３１に設けられている枢軸３３に軸支されている可動ストッパー３４を押圧し、これにより可動ストッパー３４が前記枢軸３３を支点にして前記トリガー本体３１に設けられている枢軸４３に軸支されているトリガー共働片４４に対する係合を解く方向へと回転すると、カマ係止用の該トリガー共働片４４は、その付勢バネ５０のバネ力によりカマ１０に対する係止を解くと共に前記動力伝達機構から駆動力を受けるラック部材１４から離れる方向へと回転することを特徴とする引戸用錠前。
【請求項２】
請求項１に於いて、トリガー本体３１は、一方の枢軸としての前方枢軸３３に軸支された可動ストッパー３４と、他方の枢軸としての後方枢軸４３に軸支され、かつ可動ストッパー３４の後端部側に係脱すると共にカマ１０にも係脱可能なトリガー共働片４４を備えていることを特徴とする引戸用錠前。
【発明の詳細な説明】
【技術分野】
【０００１】
本発明は、引戸用錠前に関し、特に、カマ、動力伝達機構及びトリガー部材を備えた引戸用錠前に関する。
【背景技術】
【０００２】
特許文献１及び特許文献２には、引戸の閉戸時、トリガー（水平突出杆）の先端面が受け金具のストライクに当たると、動力変換機構を介して鎌片の先端部がストライクの係入孔に向かって回転進出する事項が記載されている。
【０００３】
また、特許文献３及び特許文献４には、前記特許文献２の構成を前提にし、鎌片の先端部がストライクの係入孔に入り込み、いわゆる仮施錠状態になった場合に於いて、外部の操作手段を操作し、例えばスライド係合板を下方へ所定量移動させ、鎌片を本施錠状態にする事項が記載されている。
【０００４】
したがって、少なくとも、「引戸の閉戸時、トリガー（水平突出杆）の先端面が受け金具のストライクに当たると、動力変換機構を介して鎌片の先端部がストライクの係入孔に向かって回転進出する事項」は、公知事項である。
【０００５】
ところで、「錠箱に軸支されたカマ、このカマに連動すると共に、操作部材の操作力或いは駆動モータの駆動力によって作動する動力伝達機構、閉戸時に先端面が戸枠体側に当たると、トリガー用付勢バネのバネ力に抗して後退動するトリガー部材を備え、このトリガー部材の後退動を起因してカマが受け金具に係合する方向へと回転する引戸用錠前」に関して、出願人は、色々と技術開発を続けているが、この技術の問題点は、カマがストライクに正常に係合しない時、錠前内部の歯車伝達機構に余計な負荷や摩擦力がかかることである。
【０００６】
そこで、現在、カマがストライクに正常に係合しない時、素早く（望ましくは一瞬のうちに）、トリガー部材の構成如何に関らず、トリガー部材（トリガー共働片も含む）が、例えば動力変換機構側の動力を受けるラック部材の動きの邪魔にならないように構成し、錠前内部の歯車伝達機構に余計な負荷や摩擦力がかからないようにすることが期待されている。一方、閉戸時に「何らの障害物」が存在しない場合には、カマはそのまま突出してストライクに対して正常に係合することが要望されている。
【特許文献１】実開昭５７−１１０２６０号
【特許文献２】特開平８−８６１３２号
【特許文献３】特開２００２−２１３９１号
【特許文献３】特開２００２−８９１０６号
【発明の開示】
【発明が解決しようとする課題】
【０００７】
本発明の第１の目的は、カマがストライクに正常に係合しない時、素早く、トリガー部材が、例えば動力変換機構側の動力を受けるラック部材の動きの邪魔にならないように構成し、錠前内部の歯車伝達機構に余計な負荷や摩擦力がかからないようにすることである。第２の目的は、閉戸時に「何らの障害物」が存在しない場合には、カマはそのまま突出してストライクに対して正常に係合することである。
【課題を解決するための手段】
【０００８】
本発明の引戸用錠前は、錠箱に軸支されたカマ、このカマに連動すると共に、操作部材の操作力或いは駆動モータの駆動力によって作動する動力伝達機構、閉戸時に先端面が戸枠体側に当たると、トリガー用付勢バネのバネ力に抗して後退動するトリガー部材を備え、このトリガー部材の後退動に起因してカマが受け金具に係合する方向へと回転する引戸用錠前に於いて、前記トリガー部材３０は、錠箱内に位置しているトリガー本体３１と、このトリガー本体３１の先端部にスライド自在に嵌合するクラッチ片３２と、このクラッチ片に内装され、その先端部が該クラッチ片の内面に支持されると共に、後端部が前記トリガー本体３１に支持されるクラッチバネ４９とから成り、引戸の閉戸時、カマの正常な突出を邪魔する事態が発生して前記クラッチ片３２に所要の圧力が加わった場合には、該クラッチ片３２が後退動してその後端部が前記トリガー本体３１に設けられている枢軸３３に軸支されている可動ストッパー３４を押圧し、これにより可動ストッパー３４が前記枢軸３３を支点にして前記トリガー本体３１に設けられている枢軸４３に軸支されているトリガー共働片４４に対する係合を解く方向へと回転すると、カマ係止用の該トリガー共働片４４は、その付勢バネ５０のバネ力によりカマ１０に対する係止を解くと共に前記動力伝達機構から駆動力を受けるラック部材１４から離れる方向へと回転することを特徴とする。
【発明の効果】
【０００９】
（１）カマがストライクに正常に係合しない時、素早く（望ましくは一瞬のうちに）、トリガー部材の構成如何に関らず、トリガー部材（トリガー共働片も含む）が、例えば動力変換機構側の動力を受けるラック部材の動きの邪魔にならないように構成し、錠前内部の歯車伝達機構に余計な負荷や摩擦力がかからないようにすることができる。
（２）一方、閉戸時に「何らの障害物」が存在しない場合には、カマはそのまま突出してストライクに対して正常に係合する。
（３）トリガー部材のトリガー共働片がカマと係脱する機能も有する実施例の場合には、閉戸時にカマが不用意に飛び出ない。
【発明を実施するための最良の形態】
【００１０】
以下、図１乃至図８に示す本発明を実施するための最良の形態により説明する。
【００１１】
（１）発明の主たる環境部材
図１は、障害物が存在しない場合の解錠状態、正確には引戸の閉戸時に於いて、トリガー部材の先端面がストライクに当たる初期段階の概略説明図である。また、図２は施錠状態の概略説明図である。まず、図１、図２を参照にして、本発明の主要部を取り巻く環境部材について説明する。なお、環境部材に於いて、当業者にとって、自明乃至周知事項、例えば錠箱、ダルマ、伝動歯車等に設けた開口、軸孔、軸、取り付け孔、トリガー部材用の水平案内部分等の事項の説明は割愛する。
【００１２】
Ｚは引戸用錠前、１は縦枠側の受け金具、２は受け金具１のストライク、３は錠箱、４はフロント板、５はカマ用開口、６はトリガー部材用開口である。引戸用錠前Ｘは、一例を示しており、少なくとも引戸用錠前Ｚは、錠箱３に軸支されたカマ１０、このカマに連動すると共に、操作部材の操作力或いは駆動モータの駆動力によって作動する動力伝達機構としての歯車伝達機構（色々と設計変更可能）８、１２、１３、閉戸時に先端面が戸枠体Ｘ側に当たると、トリガー用付勢バネ５２のバネ力に抗して後退動するトリガー部材３０を備え、このトリガー部材３０の後退動を起因してカマ１０が受け金具に係合する方向へと回転すれば十分である。であるから、後述するトリガー部材３０のトリガー共働片４４は、本実施例のように、トリガー部材３０と一体的（ユニット的）に、又はトリガー部材３０とは別体に構成しても良い。
【００１３】
本発明の引戸用錠前Ｚは、このようなカマと連動する歯車伝達機構、又は歯車伝達機構に連動するカマを備える公知、新規の引戸用錠前に、新規なクラッチ機能を有するトリガー部材３０を加味している。
【００１４】
次に、錠箱３に内装された上方の部材から説明すると、７は操作部材（例えばサムターン摘み、操作ハンドルなど）により所定量回転する駆動歯車（例えばサムターンダルマ）で、この駆動歯車７は外周に不番のギヤー部分等を有している。
【００１５】
８は第１伝動歯車（カム連係歯車）で、この第１伝動歯車８も外周に不番のギヤー部分等を有している。この第１伝動歯車８は、外周から半径外方向へ延伸する係合アームの係合ピン９がカマ１０の後端部に形成した係合長孔１１に係合している。１２は駆動歯車７側の第１伝動歯車８とラック部材１４側の第２伝動歯車１３との間に介在する仲介歯車である。
【００１６】
次に、前記第２伝動歯車１３は固定軸１５を中心にすると、上側に位置する扇状外周に前記仲介歯車１２に噛合する大径の第１ギヤー部分１３ａを有し、一方、下側に位置する小径の第２ギヤー部分（例えばピニオン）１３ｂを有している。第２ギヤー部分１３ｂは、ラック部材１４と噛合している。そして、前記ラック部材１４は、本発明の主要な構成部材（トリガー部材３０）の上方に水平方向自在に配設されている。
【００１７】
次に、１６はカマ中央部のバネ支持ピン１７に設けられたカマバネで、このカマバネ１６の一端部はカマの段差部分に圧接し、他端部は係合アームの係合ピン９に圧接している。カマバネ（カマ突出用バネ部材）１６は、カマ１０を常時突出方向に付勢している。
【００１８】
鉤状先端部１０ａを有するカマ１０は、例えば先端部１０ａ外面の適宜箇所に後述するカマ係止片用の被係合部（係合面、段差部分、係合溝など）１８を有している。なお、カマ突出用バネ部材１６は、必ずしも、カマ１０に直接装着する必要はなく、他の部材、例えばラック部材１４に内装し、ラック部材側のカマ突出用バネ部材のバネ力により、カマ１０が自動的に係合方向へ突出するように構成しても良い。
【００１９】
（２）カマ乃至ラック部材の作用
図３は施錠状態、中途状態及び解錠状態におけるカマ１０とラック部材１４の移動方向を示す簡単な概略説明図である（本発明の主要部は省略）。ここでは、カマ１０とラック部材１４との間に存在する第１伝動歯車（カム連係歯車）８、仲介歯車１２及び第２伝動歯車１３を「動力伝達機構（歯車伝達機構）」と概念付ける。
【００２０】
図３の（ａ）は解錠状態で、この解錠状態では、カマ１０は錠箱３内に後退し、かつ、トリガー部材の後端部に軸支されたカマ共働片（本実施例ではカマ係止片）４４に係止されている。
【００２１】
また、ラック部材１４の先端部１４ａは、前記トリガー共働片４４側に位置している。付言すると。ラック部材１４の先端部１４ａは、トリガー共働片４４の指状係止部（上側の係合端部）４５に当たっているか、或いは指状押圧部４５の直ぐ傍に位置している。当然のことながら、歯車伝達機構８、１２、１３は停止している。
【００２２】
図３の（ｂ）は中途状態で、この中途状態では、カマ１０はトリガー共働片４４から解放され、カマバネ１６のバネ力により、その先端部１０ａは錠箱３のフロント４の開口から突出する。カマ１０が係合（施錠）方向へと回転すると、その連係手段１１、９を介して歯車伝達機構８、１２、１３が作動する（例えば第１伝動歯車８は反時計方向へと回転する）ことから、ラック部材１４は矢印Ａで示す錠箱の後壁３ａ方向へと水平ガイド１９に案内されながら移動する。そして、カマ１０が施錠方向（突出方向）へと回転するに際して「何らの障害物」が存在しない場合には、図３の（ｃ）で示すように、カマ１０はそのまま突出してストライク２に対して正常に係合する。この時、ラック部材１４は歯車伝達機構８、１２、１３を介して右側の所定位置まで移行する。
【００２３】
（３）本発明の主要部
本発明の主要部は、カマ１０が施錠方向へと回転するに際して、例えば被服、小物等の障害物２０が戸用縦枠Ｘと引戸Ｙとの間に挟まった、カマ１０の先端部１０ａがストライク２に衝突した場合などカマ１０の突出を邪魔するような事態が発生した時（ストライクも含む何らかの障害物が存在した場合）に作動する。
【００２４】
本発明の所期の目的は、カマ１０がストライク２に正常に係合しないため、歯車伝達機構８、１２、１３に余計な負荷や摩擦力がかからないようにすることである。
【００２５】
まず、図４乃至図８に於いて、２０は何らかの障害物である。説明の便宜上、ストライク２とフロント４との間の隙間２１に何らかの障害物２０が存在するものと仮定する。実際には被服、小物等の障害物２０が図６で示すように空中に浮かんでいる訳ではないが、例えば手を入れて引戸を止めた場合を想定すると判り易い。
【００２６】
さて、図１は第１段階である。また図６は、戸枠体Ｘに対して、引戸Ｙを矢印Ａ方向に閉める際に、引戸Ｙ側のトリガー部材３０の先端面が、戸枠体Ｘのストライク２に当たり始め、トリガー共働片４４が若干傾いた状態を示す（第１段階の直後）。ここでは第１段階の直後も第１段階に準じる。
【００２７】
この第１段階では、指先状のトリガー共働片（カマ係止片）４４がＯＮ状態である。ここで「ＯＮ状態」とは、トリガー部材３０の先端部に外嵌合するクラッチ片３２のクラッチ機能が、トリガー共働片４４に対して「ＯＦＦの状態」をいう。付言すれば、引戸の閉戸時、カマ１０の正常な突出を邪魔する事態が発生した場合に於いて、クラッチ機能が働かないとき、カマ側から動力伝達機構を介してラック１４に衝撃力が作用するので、トリガー共働片４４の存在がラック１４の逃げの動きを阻害すると、動力伝達機構に負荷が掛かかる。
【００２８】
（４）トリガー部材３０
そこで、図６と図７を参照にして、トリガー部材３０の構成を説明する。トリガー部材３０は、大きく区分すると、錠箱内に位置しているトリガー本体３１と、このトリガー本体３１の先端部にスライド自在に嵌合するクラッチ片３２と、このクラッチ片に内装され、その先端部が該クラッチ片の内面に支持されると共に、後端部が前記トリガー本体３１に支持されるクラッチバネ４９とから成る。付言すると、前記キャップ状クラッチ片３２は、トリガー本体３１の先端部にスライド自在に外嵌合すると共に、カマが係合（施錠）の際にストライク２の前面に衝突する。また、前記クラッチバネ４９はキャップ状のクラッチ片３２を元の位置へ戻す機能を有する。さらに、トリガー本体３１は、錠箱３のフロント板４から該錠箱３の後壁３ａに向かって所定量延在し、その後端部は錠箱３の中央部或は中央部寄りに位置している。そして、本実施例のトリガー部材３０は、後述するようにクラッチ機能を有する。
【００２９】
トリガー本体３１の複数個の軸孔、切欠部分等の細部的事項の説明は割愛するが、このトリガー本体３１には、まず、一方の枢軸である前方枢軸３３に軸支された可動ストッパー３４を備えている。しかして、可動ストッパー３４は、先端部側の軸受け部分３４ａと、該軸受け部分３４ａに連設する後端部側の軸受け部分３４ｂを有し、前記後端部側の軸受け部分３４ｂには、錠箱３の底壁３ｂ寄りの中心部に形成されたガイド孔２５に案内されるガイド軸３５が設けられている。ガイド孔２５には右上にガイド軸３５を案内する傾斜面が形成されている。また、後端部側の軸受け部分３４ｂの上壁３６には、開口或いは切欠部分を形成し、該上壁３６の開口縁に直接又は間接的にストッパー機能を付与している。
【００３０】
次に、トリガー本体３１には、他方の枢軸である後方枢軸４３に軸支され、かつ、前記可動ストッパー３４の後端部側に係脱するトリガー共働片（本実施例ではカマ係止片）４４を備えている。このトリガー共働片４４の親指形状係止部分４５は、解錠状態の時、ラック部材１４の先端面に対向するように位置付けられている。実施例によっては、前記親指形状係止部分４５にラック部材１４の先端面を押圧する機能を持たせることも可能である。
【００３１】
図６を基準にすると、可動ストッパー３４は、トリガー本体３１の下方に位置し、一方、トリガー共働片４４は、該トリガー本体３１よりも上方に突出する。付言すれば、前方枢軸３３はトリガー本体３１の下辺に突設した突起部分に位置し、これに対して、後方枢軸４３は該前方枢軸３３よりも斜め上方に位置するようにトリガー本体３１の後端部に設けられている。
【００３２】
しかして、トリガー共働片４４は、後方枢軸４３を基準にすると、上部側に親指形状係止部分４５を有し、一方、下部側に可動ストッパー３４の後端部側に係脱する小突起状係合爪４６を有している。そして、トリガー共働片４４の軸受け部４７には、トリガー共働片４４用の付勢バネ５０の中央部分が巻装され、該付勢バネ５０はトリガー共働片４４を矢印Ｂ方向に常に付勢している。
【００３３】
さらに、図４で示すように、トリガー部材３０に後述するクラッチ機能を付与するために、クラッチ片３２に単数又は複数（本実施例）のクラッチバネ４９が適宜内装されている。
【００３４】
その他、錠箱３内には、トリガー部材３０を突出方向へ付勢するトリガー部材用付勢部材５２が設けられている。本実施例では、錠箱３の下端部の後壁３ａと底壁３ｂ付近に設けた固定ピン５３に前記付勢部材５２の中央部が巻装され、その一端部がトリガー本体３１の切欠後端面に圧接している。
【００３５】
（５）トリガー部材３０のクラッチ機能
図６は「第１段階」である。前述したように、この第１段階では、引戸Ｙ側のトリガー部材３０の先端面が、戸枠体Ｘのストライク１に当たり始めた瞬間である。第１段階では、トリガー共働片４４がＯＮの状態である。したがって、カマ１０の先端部１０ｂは、まだ錠箱３内から飛び出そうとしていないので、障害物２０は、いまだ邪魔な存在ではない。また、トリガー部材３０のクラッチ機能は、前述したように、この第１段階は、カマ係止片に対して「ＯＦＦの状態」である。
【００３６】
付言すると、クラッチ片３２の先端面３２ａ（トリガー部材３０の先端面）がストライク２の前面に勢い良く押圧された訳ではないので、クラッチバネ４９は伸長状態である。
【００３７】
このクラッチバネ４９が伸長状態であることは、本実施例では、クラッチ片３２の後端面３２ｂが可動ストッパー３４の軸受け部分３４ａの先端面上部から離れていること意味する。つまり、クラッチがＯＦＦの時は、クラッチ片３２の後端面３２ｂと可動ストッパー３４の先端面との間に若干の間隙が存在している。
【００３８】
したがって、この第１段階では、トリガー共働片４４の係合爪４６は可動ストッパー３４の上壁３６側に係止していることから、まだトリガー共働片４４は反時計方向へ傾倒していない。
【００３９】
図８は、トリガー部材３０がさらに後退してクラッチ片３２の先端面３２ａに勢い良く力（例えば通常の２倍とか３倍のショック）が加わり、クラッチバネ４９が収縮してクラッチ片３２の後端面３２ｂで瞬間的に可動ストッパー３４の先端面上部を押し付け、これにより可動ストッパー３４が矢印Ａ方向（時計方向）へ回転し、可動ストッパー３４の上壁３６がトリガー共働片４４の係合爪４６から離れたために、トリガー共働片４４がその付勢バネ５０のバネ力により、矢印Ｂ方向（反時計方向）へ傾倒した状態である（第２段階）。この第２段階では、カマ１０がトリガー部材３０のトリガー共働片４４から解放されたので、クラッチ片３２のクラッチは、トリガー共働片（カマ係止片）４４に対して「ＯＮ状態」である。つまり、トリガー部材３０はカマ１０の係止を解き、カマ１０はフリーとなった。
【００４０】
ところで、クラッチ片３２がＯＮ状態になった場合に於いて、引戸が障害物に当たってそのままその場で停止しているにもかかわらず、クラッチバネ４９は伸長状態（初期状態）に復帰する。何故ならば、トリガー本体３４が錠箱３の後壁３ａ側に多少後退するからである。
【００４１】
しかし、クラッチバネ４９が復帰した場合であっても、クラッチが「ＯＮ状態」であることには変わりがない。また、第２段階に於いて、トリガー共働片４４が矢印Ｂ方向（反時計方向）へ傾倒した場合、本実施例では一時的に錠箱内装の受け片５５で支持する。しかし、この受け片５５は発明の限定要件ではない。
【００４２】
したがって、カマ１０の先端部１０ａが障害物に当たっても、所要の圧力がクラッチ片３２に加わった場合には、トリガー部材３０はクラッチ機能を発揮するので、カマ１０はフリーとなり、その結果、歯車伝達機構８、１２、１３に余計な負荷や摩擦力がかからない。
【実施例】
【００４３】
本発明の実施例に於いて、トリガー部材３０のトリガー共働片４４は、トリガー本体３１に軸支されているが、例えば錠箱６のフロント側にトリガー本体３１と交差するように配設し、その下端部を錠箱６に軸支し、一方、上端部をカマ１０の被係合部１８に係合するように構成しても良い。なお、カマ共働片４４は、望ましくはカマ１０と係脱する機能も有する。
【産業上の利用可能性】
【００４４】
本発明は、主に建具や錠前の業界で利用される。
【図面の簡単な説明】
【００４５】
図１乃至図８は本発明の一実施例を示す各説明図。
【図１】実施の環境を示す概略説明図（解錠状態）。
【図２】実施の環境を示す概略説明図（施錠状態）。
【図３】施錠状態、中途状態及び解錠状態におけるカマとラック部材の移動方向を示す簡単な概略説明図（本発明の主要部は省略）。
【図４】主要部の横概略説明図。
【図５】主要部の縦概略説明図。
【図６】主要部の第１段階の概略説明図。
【図７】トリガー部材の説明図。
【図８】主要部の第２段階の概略説明図。
【符号の説明】
【００４６】
Ｘ…戸用縦枠、Ｙ…引戸、Ｚ…引戸用錠前、１…受け金具、２…ストライク、３…錠箱、３ａ…錠箱の後壁、４…フロント板、５…カマ用開口、６…トリガー部材用開口、８、１２、１３…動力伝達機構の構成部材、９、１１…連係手段、１０…カマ、１０ａ…先端部、１４…ラック部材、１４ａ…先端部、１６…カマ突出用バネ部材、１８…カマの被係合部、２０…障害物、２１…隙間、２５…ガイド孔、３０…トリガー部材、３１…トリガー本体、３２…クラッチ片、３３…前方枢軸、３４…可動ストッパー、３５…ガイド軸、３６…可動ストッパーの上壁、４３…後方枢軸、４４…トリガー共働片、４５…係止部分（指状押圧部）、４６…係合爪、４９…クラッチバネ、５０…トリガー共働片用付勢バネ、５２…トリガー部材用付勢部材。
【図１】
0005204957.tif 000002
【図２】
0005204957.tif 000003
【図３】
0005204957.tif 000004
【図４】
0005204957.tif 000005
【図５】
0005204957.tif 000006
【図６】
0005204957.tif 000007
【図７】
0005204957.tif 000008
【図８】
0005204957.tif 000009